(57)【特許請求の範囲】
【請求項１】
弾発性を有する樹脂製の板材からなる付勢部材と、該付勢部材よりも剛性が高く、該付勢部材の横方向の両端部にそれぞれ接着される２枚の係止部材とを備えたコーナー棚であって、
前記係止部材の前記付勢部材に接着された側と反対側の表面には摩擦部材が貼り付けられており、
前記付勢部材には高さ方向の２箇所に該付勢部材の横方向に延びるスリットが形成され、該付勢部材の横方向の中央部は、前記スリットにより上端部、中間部及び下端部に分断されて、上端部、中間部及び下端部が独立して弾性変形することができる構成とされており、
前記２枚の係止部材は、前記付勢部材に対し、該付勢部材の横方向の中央部に隙間を有する態様で、前記スリットが形成されていない該付勢部材の横方向の端部と、端部から連続する該付勢部材の上端部と下端部とに接着される構成とされており、
前記付勢部材の中間部には、弾発性を有する樹脂製の補助付勢材が付されており、
前記付勢部材に前記係止部材が接着された側の面を外側にして該付勢部材の横方向の中央の上端部と下端部を曲げるとともに、前記補助付勢材が付された該付勢部材の中間部を該付勢部材に該係止部材が接着された側と反対側に凸状に湾曲させて、該付勢部材に付勢力を生じさせ、
前記係止部材の表面に貼り付けられた摩擦部材を壁面が交差するコーナー凹部の各壁面に当接させ、前記付勢部材に生じた付勢力により、該摩擦部材をコーナー凹部の各壁面に押しつけて係止させて、
前記係止部材の反対側に凸状に湾曲する該付勢部材の中間部で物品を保持するコーナー棚。
【請求項２】
請求項１に記載のコーナー棚であって、
コーナー棚をコーナー凹部の各壁面に押しつけて係止させたときに物品を保持するための棚板を備え、
前記棚板は、コーナー凹部で各壁面と係止部材により形成される隙間に付勢部材の上端部の下端に沿って２枚の係止部材の間から挿入される頭部と、付勢部材の中間部の上端で支えられる棚部とが、一体で構成されていることを特徴とするコーナー棚。
【発明の詳細な説明】
【技術分野】
【０００１】
この発明は、壁面が交差するコーナー凹部で物品を保持するコーナー棚に関する。さらに詳しくは、コーナー凹部を形成する壁面に対して棚を取付けるための加工処理を必要としないコーナー棚に関する。
【背景技術】
【０００２】
洗面所や居間で生じる臭いに対処するため、消臭剤や芳香剤がこれらの室内に置かれることがある。ここで、消臭剤や芳香剤の置き場所としては、室内の使用に支障が無いこと、ガス状となった消臭剤や芳香剤が室内に拡散できることを考慮する必要がある。そこで、消臭剤や芳香剤は、室内の壁面の交差するコーナー凹部に形成されるコーナー棚に置かれることが多い。
室内の壁面の交差するコーナー凹部にコーナー棚を取付ける従来技術としては、コーナーに棚を形成する略直角三角形の部材に対して、直角を挟む二辺に壁面に沿ったフランジ部を設けて、フランジ部をビス等により壁面に固定する方法がある。特許文献１には、コーナー壁面に沿う２つの取付部と両方の取付部の間に形成され上面を棚面とした棚板部とを一体に備えたコーナー棚が記載されている。特許文献１に記載のコーナー棚では、両方の取付部に穿設されたビス挿通孔からビス用下孔を設けた壁面にビスを螺着して、コーナー壁面に取付部を圧接した状態でコーナー棚を取付けている。
【先行技術文献】
【特許文献】
【０００３】
【特許文献１】特開２００８−４８７７８号公報
【発明の概要】
【発明が解決しようとする課題】
【０００４】
しかしながら、特許文献１に記載の方法では、壁面にビス用下孔を設ける加工をしてコーナー棚を取付けるために、コーナー棚の取付けに手間がかかる。また、コーナー棚の取付け高さを変更したり、コーナー棚が不要になって取外したりすると、壁面にビス孔がキズとして残り見苦しい。
【０００５】
そこで、本発明が解決しようとする課題は、壁面の加工処理が不要であり、壁面に傷を付けること無く、壁面のコーナー凹部に対して簡単に取付けることができるコーナー棚を提供することである。
【課題を解決するための手段】
【０００６】
上記課題を解決するため、本発明に係るコーナー棚は次の手段をとる。
まず、本発明の第１の発明は、弾発性を有する樹脂製の板材からなる付勢部材と、該付勢部材よりも剛性が高く、該付勢部材の横方向の両端部にそれぞれ接着される２枚の係止部材とを備えたコーナー棚であって、
前記係止部材の前記付勢部材に接着された側と反対側の表面には摩擦部材が貼り付けられており、
前記付勢部材には高さ方向の２箇所に該付勢部材の横方向に延びるスリットが形成され、該付勢部材の横方向の中央部は、前記スリットにより上端部、中間部及び下端部に分断されて、上端部、中間部及び下端部が独立して弾性変形することができる構成とされており、
前記２枚の係止部材は、前記付勢部材に対し、該付勢部材の横方向の中央部に隙間を有する態様で、前記スリットが形成されていない該付勢部材の横方向の端部と、端部から連続する該付勢部材の上端部と下端部とに接着される構成とされており、
前記付勢部材の中間部には、弾発性を有する樹脂製の補助付勢材が付されており、
前記付勢部材に前記係止部材が接着された側の面を外側にして該付勢部材の横方向の中央の上端部と下端部を曲げるとともに、前記補助付勢材が付された該付勢部材の中間部を該付勢部材に該係止部材が接着された側と反対側に凸状に湾曲させて、該付勢部材に付勢力を生じさせ、
前記係止部材の表面に貼り付けられた摩擦部材を壁面が交差するコーナー凹部の各壁面に当接させ、前記付勢部材に生じた付勢力により、該摩擦部材をコーナー凹部の各壁面に押しつけて係止させて、
前記係止部材の反対側に凸状に湾曲する該付勢部材の中間部で物品を保持するコーナー棚である。
【０００７】
この第１の発明によれば、係止部材の表面に貼り付けられた摩擦部材を壁面が交差するコーナー凹部の各壁面に当接させ、付勢部材に生じた付勢力により、摩擦部材をコーナー凹部の各壁面に押しつけて係止させることによりコーナー棚をコーナー凹部に取付けることができる。そして、係止部材と反対側に凸状に湾曲する付勢部材の中間部に物品を載せると、物品の重みによりコーナー棚に下向きの力が生じる。これに対して、係止部材に貼り付けられた摩擦部材と壁面の間に生ずる摩擦力が抗力として働き、コーナー棚の落下が抑止され、コーナー棚の付勢部材の中間部で物品を保持することができる。よって、壁面の加工処理が不要であり、壁面に傷を付けること無く、壁面のコーナー凹部に対して簡単に取付けられるコーナー棚を提供することができる。
【０００８】
次に、本発明の第２の発明は、上記第１の発明に係るコーナー棚であって、
コーナー棚をコーナー凹部の各壁面に押しつけて係止させたときに物品を保持するための棚板を備え、
前記棚板は、コーナー凹部で各壁面と係止部材により形成される隙間に付勢部材の上端部の下端に沿って２枚の係止部材の間から挿入される頭部と、付勢部材の中間部の上端で支えられる棚部とが、一体で構成されていることを特徴とする。
この第２の発明によれば、コーナー棚は棚板を備えることにより、物品を安定して保持することができる。
【発明の効果】
【０００９】
上述の本発明の各発明によれば、次の効果が得られる。
まず、上述の第１の発明によれば、付勢部材に生じた付勢力により、摩擦部材をコーナー凹部の各壁面に押しつけて係止させることによりコーナー棚をコーナー凹部に取付けることができる。そして、付勢部材の中間部に物品を載せると、係止部材に貼り付けられた摩擦部材と壁面の間に生ずる摩擦力が抗力として働き、コーナー棚の落下が抑止され、コーナー棚の付勢部材の中間部で物品を保持することができる。よって、壁面の加工処理が不要であり、壁面に傷を付けること無く、壁面のコーナー凹部に対して簡単に取付けられるコーナー棚を提供することができる。
次に、上述の第２の発明によれば、コーナー棚は棚板を備えることにより、物品を安定して保持することができる。
【図面の簡単な説明】
【００１０】
【図１】実施例１におけるコーナー棚の背面図である。
【図２】実施例１におけるコーナー棚の正面図である。
【図３】実施例１におけるコーナー棚の上面図である。
【図４】実施例１におけるコーナー棚の使用状態を示す斜視図である。
【図５】実施例１のコーナー棚に棚材を付加した状態を示す斜視図である。
【図６】実施例２におけるコーナー棚の正面図である。
【図７】実施例２におけるコーナー棚の上面図である。
【図８】実施例３におけるコーナー棚の使用状態を示す斜視図である。
【発明を実施するための形態】
【００１１】
以下、本発明を実施するための形態について実施例にしたがって説明する。
【実施例１】
【００１２】
［コーナー棚の構成］
図１に本発明の実施例１におけるコーナー棚１０の背面図を、図２にコーナー棚１０の正面図を、図３にコーナー棚１０の上面図を示す。コーナー棚１０は、図１〜図３に示すとおり、横幅が高さの約２倍で、弾発性を有する樹脂製で矩形の板材からなる付勢部材３０と、付勢部材３０よりも剛性が高く、付勢部材３０の横方向の両端部にそれぞれ接着される２枚の矩形の係止部材２０、２０とを備えている。そして、係止部材２０の付勢部材３０に接着された側と反対側の表面には、係止部材２０のほぼ全面を覆う摩擦部材２２が貼り付けられている。付勢部材３０は耐薬品性、耐水性に優れ、折り曲げ反復に強い材質が好ましく、実施例１ではポリプロピレンを使用している。そして、係止部材２０には剛性の高い発泡ポリプロピレンを使用している。また、摩擦部材２２には滑り止め効果の大きなアクリル系粘着ポリマーフォームを使用している。なお、各部材の材質は各部材の役割に応じて適宜選択することができる。
【００１３】
そして、図２に示すように、付勢部材３０には高さ方向の２箇所に、付勢部材３０の横方向に伸びるスリット３２が形成され、付勢部材３０の横方向の中央部は、スリット３２により上から順に上端部３４、中間部３６、および下端部３８に分断されている。そして、上端部３４と下端部３８の高さ方向の幅は同一とされ、中間部３６の高さ方向の幅は上端部３４の高さ方向の幅の約４倍とされている。そして、スリット３２が形成されていない付勢部材３０の横方向の両端部分は横端部３３とされており、左右の横端部３３は同じ幅である。そして、付勢部材３０の上端部３４、中間部３６、および下端部３８が独立して弾性変形することができる構成とされている。
【００１４】
そして、各係止部材２０は、付勢部材３０の正面側に対して、スリット３２が形成されていない横端部３３と、横端部３３の上部から連続する上端部３４と、横端部３３の下部から連続する下端部３８との３箇所に接着される構成とされている。そして、図１および図３に示すとおり、各係止部材２０の横幅は付勢部材３０の横幅の半分よりも短く設定されており、付勢部材３０の横方向の中央では、上端部３４および下端部３８は、係止部材２０に被われない構成とされている。なお、付勢部材３０の中間部３６は、いずれの部分も係止部材２０に接着されない構成とされている。
【００１５】
そして、付勢部材３０の中間部３６の、付勢部材３０に係止部材２０が接着されている側の面には、弾発性を有する樹脂製の補助付勢材４０が付されている。補助付勢材４０は、横幅が付勢部材３０の中間部３６の横幅よりも少し短く、高さ方向の幅が付勢部材３０の中間部３６の幅とほぼ同じであり、補助付勢材４０の横方向の両端部が、付勢部材３０の中間部３６に溶着されている。なお、実施例１では補助付勢材４０には付勢部材３０と同じ厚さのポロプロピレンを使用している。
【００１６】
［コーナー棚の使用法］
図４にコーナー棚１０の使用状態を斜視図で示す。
コーナー棚１０の壁面５０のコーナー凹部５２への取付けは次の手順で行う。まず、コーナー棚１０の付勢部材３０に係止部材２０が接着された側の面を外側にして、付勢部材３０の上端部３４および下端部３８の係止部材２０に覆われていない部分を湾曲させて、付勢部材３０の上端部３４および下端部３８に付勢力を生じさせる。なお、係止部材２０は付勢部材３０よりも剛性が高いため、係止部材２０はほとんど湾曲しない。そして、補助付勢材４０が付された付勢部材３０の中間部３６を付勢部材３０に係止部材２０が接着された側と反対側に凸状に湾曲させて、付勢部材３０の中間部３６及び補助付勢材４０に付勢力を生じさせる。なお、コーナー棚１０は上下を逆向きとしてもコーナー凹部５２に取付けることができ、上下の向きを考慮する必要がない。そして、付勢部材３０の上端部３４および下端部３８の区別は、コーナー棚１０をコーナー凹部５２に取付けた時の上下の向きにより決まるものである。
そして、係止部材２０の表面に貼り付けられた摩擦部材２２を壁面５０が交差するコーナー凹部５２の各壁面５０に当接させ、付勢部材３０及び補助付勢材４０に生じた付勢力により、摩擦部材２２をコーナー凹部５２の各壁面５０に押しつけて、コーナー棚１０をコーナー凹部５２に係止させる。これにより、壁面５０に何らの加工をすることなく、コーナー棚１０をコーナー凹部５２に取付けることができる。
ここで、係止部材２０と反対側に凸状に湾曲する付勢部材３０の中間部３６で物品を保持させると、物品の重みによりコーナー棚１０に下向きの力が生じる。これに対して、係止部材２０に貼り付けられた摩擦部材２２と壁面５０の間に生ずる摩擦力が抗力として働き、コーナー棚１０の落下が抑止されるので、コーナー棚１０の付勢部材３０の中間部３６で物品を保持することができる。
【００１７】
［効果］
実施例１のコーナー棚１０によれば、付勢部材３０及び補助付勢材４０に生じた付勢力により、係止部材２０の表面に貼り付けられた摩擦部材２２をコーナー凹部５２の各壁面５０に押しつけて係止させることで、壁面５０の加工処理をすることなく、コーナー棚１０を壁面５０に取付けることができる。そして、係止部材２０に取付けられた摩擦部材２２と壁面５０の間に生ずる摩擦力により、付勢部材３０の中間部３６で物品をコーナー棚１０で保持することができる。
よって、壁面５０の加工処理が不要であり、壁面５０に傷を付けること無く、壁面のコーナー凹部５２に対して簡単に取付けられるコーナー棚１０を提供することができる。
なお、付勢部材３０の中間部３６を、コーナー凹部５２と反対側となる手前に引けば、コーナー棚１０をコーナー凹部５２から取外すことができるので、コーナー棚１０の撤去や高さの変更が容易である。
【００１８】
［変形例］
ところで、コーナー棚１０をコーナー凹部５２に取付けた時に、付勢部材３０の上側のスリット３２により形成される孔よりも径の小さな物品は保持することが難しい。そこで、図５に示すように、コーナー棚１０をコーナー凹部５２の各壁面５０に押しつけて係止させたときに物品を保持するための棚材６０を付加しても良い。棚材６０は、コーナー凹部５２で各壁面５０と係止部材２０により形成される隙間に、付勢部材３０の上端部３４の下端に沿って２枚の係止部材２０の間から挿入される頭部６２と、付勢部材３０の中間部３６の上端で支えられる棚部６４が一体で構成されている。そして、棚板６０の着脱する時の便宜のために棚板６０の中央に孔６６が空けられている。そして、棚材６０の上面には棚材６０の上に置かれた物品の滑落防止のために、滑り止め部材６８が貼り付けられている。この構成によれば、棚材６０に載せられた物品は棚部６４で支えられる。そして、棚材６０は、頭部６２の棚部６４に対する付け根が付勢部材３０の上端部３４の下端で支えられ、棚部６４は付勢部材３０の中間部３６の上端で支えられる。そして、滑り止め部材６８により、物品の滑落が防止される。よって、棚材６０に載せられた物品はコーナー棚１０により安定して保持される。
【実施例２】
【００１９】
図６に本発明の実施例２におけるコーナー棚１０Ａの正面図を、図７にコーナー棚１０Ａの上面図を示す。コーナー棚１０Ａと実施例１のコーナー棚１０との差異は、コーナー棚１０Ａでは、補助付勢材４０Ａが、付勢部材３０Ａに係止部材２０が接着された側と反対側の面に、組み付けられている点である。
補助付勢材４０Ａは、実施例１の補助付勢材４０と同質の弾発性を有する樹脂製の板材であり、横方向の両端部の上下に、補助付勢材４０Ａを付勢部材３０Ａに取付けるための取付片４２が都合４個の形成されている。そして、付勢部材３０Ａの中間部３６の横方向の両端付近の上下には、補助付勢材４０Ａの取付片４２を挿入することができる切断部３９が都合４個形成されている。そして、補助付勢材４０Ａの取付片４２を付勢部材３０Ａの切断部３９に挿入することにより、補助付勢材４０Ａが付勢部材３０Ａに組み付けている。
実施例２では、補助付勢材が組み付け方式で取り外しが容易なため、付勢力の異なる補助付勢材と簡単に取り換えができるという利点がある。
【実施例３】
【００２０】
図８に本発明の実施例３におけるコーナー棚１０Ｂの使用状態を斜視図で示す。実施例３のコーナー棚１０Ｂと実施例１のコーナー棚１０との違いは、実施例３では、付勢部材３０Ｂの横方向の端部が矩形ではなく、図８に示すように、花びらあるいは動物の手を想起させる形状とされていることである。そして、付勢部材３０Ｂの左右の端部に接着される２枚の係止部材２０Ｂおよび摩擦部材２２Ｂも、付勢部材３０Ｂの左右の端部と同じ形状とされている。
このように、コーナー棚のコーナー凹部の各壁面に当接させる部位の形状は、矩形に限られず、コーナー棚として使用できる範囲で、様々な形状とすることができる。そして、図８に示すように、付勢部材にマンガのキャラクター７０等を描いて、コーナー棚に装飾的な要素を持たせても良い。
【００２１】
その他、本発明に係るコーナー棚はその発明の思想の範囲で、各種の形態で実施できるものである。
【符号の説明】
【００２２】
１０、１０Ａ、１０Ｂ コーナー棚
２０、２０Ｂ  係止部材
２２、２２Ｂ  摩擦部材
３０、３０Ａ、３０Ｂ 付勢部材
３２   スリット
３３   横端部
３４   上端部
３６   中間部
３８   下端部
３９   切断部
４０、４０Ａ  補助付勢材
４２   取付片
５０   壁面
５２   コーナー凹部
５４   物品
６０   棚材
６２   頭部
６４   棚部
６６   孔
６８   滑り止め部材
７０   キャラクター
【図１】
0005380645.tif 000002
【図２】
0005380645.tif 000003
【図３】
0005380645.tif 000004
【図４】
0005380645.tif 000005
【図５】
0005380645.tif 000006
【図６】
0005380645.tif 000007
【図７】
0005380645.tif 000008
【図８】
0005380645.tif 000009